(57)【要約】【課題】表示性能を維持しつつ、外部からの衝撃による不具合を防止することができる表示装置を提供することを目的とする。【解決手段】本願の開示する表示装置は、液晶レンズを保護するためのカバープレートと前記液晶レンズとの間に所定の厚みを有する緩衝部材を設けることを特徴とする。例えば、緩衝部材６Ｂは、レンズ部６Ａとカバープレート６Ｃとの間に設置される。緩衝部材６Ｂは、構成材料に基づく弾性効果を有し、カバープレート６Ｃ側から加えられる外部からの衝撃を緩和する。緩衝部材６Ｂは、例えば、アルキルメタアクリレートのモノマーユニットを主骨格とするアクリル系ポリマーで構成される。緩衝部材６Ｂは、少なくとも、０．１ミリメートル以上の厚みを有する。【選択図】図２
2014178443.tif 000002
【特許請求の範囲】
【請求項１】
液晶レンズを保護するためのカバープレートと前記液晶レンズとの間に所定の厚みを有する緩衝部材を設ける表示装置。
【請求項２】
前記緩衝部材の厚みは、０．１ミリメートル以上である請求項１に記載の表示装置。
【請求項３】
前記緩衝部材は、アクリル系ポリマーである請求項１又は請求項２に記載の表示装置。
【発明の詳細な説明】
【技術分野】
【０００１】
本発明は、表示装置に関する。
【背景技術】
【０００２】
近年、携帯電話、スマートフォン、タブレットなど携帯型の電子機器に搭載される表示装置の需要が高まっている。表示装置の中には、例えば、液晶の特性を利用した液晶レンズなど液晶モジュールが搭載されるものもある。液晶モジュールが搭載される表示装置に関し、外部からの衝撃により液晶モジュールが破壊されることを防ぐための技術なども種々提案されている（例えば、特許文献１参照）。例えば、スマートフォンに搭載される液晶ディスプレイは、液晶が封入される液晶層を介して、対向する一対の偏光フィルタ、透光性電極を有する一対のガラス基板、液晶層の間隔を維持するスペーサ、液晶分子の向きを並べる配向膜、カラーフィルタをそれぞれ所定の位置に介在させた構造を有する。
【０００３】
また近年、視差のある画像を観察者が観察することで、立体視を実現する表示装置が開発されている。立体視が可能な表示装置の方式として、眼鏡によって視差画像を左右の眼に分離して入力する眼鏡方式と、眼鏡を使用することなく視差画像を左右の眼に入力する裸眼方式とに大別される。裸眼方式の表示装置として、レンチキュラーレンズ等のレンズアレイと二次元画像を表示する表示部とを組み合わせた表示装置の実用化が進められている（特許文献２参照）。
【先行技術文献】
【特許文献】
【０００４】
【特許文献１】特開２０１２−４９６７１号公報
【特許文献２】特開２０１２−１７３７１５号公報
【発明の概要】
【発明が解決しようとする課題】
【０００５】
立体視を実現する表示装置においては、通常画像（二次元画像）の表示も支障なく行うことができることが好ましい。換言すれば、立体画像の表示と通常画像の表示とが切り替え可能といった構成であることが望ましい。レンズアレイのレンズ列の屈折力を可変することができれば、立体画像の表示と通常画像の表示とを切り替えることができる。
【０００６】
上述のようにレンズ列の屈折力を可変することができる可変レンズアレイとして、透光性電極を有する一対の透光性基板の間に液晶層が配置された構造の液晶レンズが挙げられる。
【０００７】
図５は、表示装置に搭載される液晶レンズの概略断面構造を示す図である。図５に示すように、液晶レンズ１００は、第１基板１１０と第２基板１３０により液晶層１５０を挟み込んだ構造を有している。第１基板１１０と第２基板１３０との間には、基板間の間隔を維持するためのスペーサが設けられる。図５では、スペーサとして、柱スペーサが設けられている。柱スペーサ１７０は、所定のアスペクト比を有する柱状の部材であり、図５に示すように、第１基板１１０及び第２基板１３０に対して鉛直に設置される。以上説明したように、液晶レンズ１００に柱スペーサ１７０を設置することにより、第１基板１１０と第２基板１３０との間隔が維持され、液晶レンズ１００の表示性能が保たれる。
【０００８】
柱スペーサ１７０のアスペクト比は、液晶レンズ１００の表示性能を確保するために所定の範囲に抑えられている。より具体的には、表示装置として液晶表示装置を用いた場合に表示装置内に設けられるスペーサの断面積よりも、柱スペーサ１７０の断面積は小さくなる。このように柱スペーサ１７０のアスペクト比を所定の範囲に抑えることにより、柱スペーサ１７０が、液晶レンズ１００を通過する光を遮光して、液晶レンズ１００の表示性能に悪影響を与えることを防止している。しかし、柱スペーサ１７０のアスペクト比を所定の範囲に抑える、すなわち、柱スペーサ１７０をより細く形成することで、柱スペーサ１７０が、外部からの衝撃に弱く、壊れ易くなってしまう。このように、液晶レンズ１００に柱スペーサ１７０を設ける技術では、柱スペーサ１７０の強度を高めることと、液晶レンズ１００の表示性能を確保することとがトレードオフの関係にあり、両立させることが難しい。
【０００９】
また、柱スペーサ１７０は、外部からの衝撃の影響で膨張、変形、破壊され、液晶レンズ１００の液晶層１５０内に気泡を発生させてしまうという問題もある。液晶レンズ１００の液晶層１５０に気泡が発生してしまうと、レンズとしての機能が失われてしまい、表示性能を確保できない。
【００１０】
本開示は、表示性能を維持しつつ、外部からの衝撃による不具合を防止することができる表示装置を提供することにある。
【課題を解決するための手段】
【００１１】
本開示の表示装置は、液晶レンズを保護するためのカバープレートと前記液晶レンズとの間に所定の厚みを有する緩衝部材を設ける。
【００１２】
本開示の表示装置は、液晶レンズとカバープレートとの間に所定の厚みを有する緩衝部材を設けることにより、外部からの衝撃を緩和することができる。このため、柱スペーサの破壊及び液晶層における気泡の発生を防止することができ、液晶レンズの表示性能を確保することができる。
【発明の効果】
【００１３】
本開示の表示装置は、表示性能を維持しつつ、外部からの衝撃による不具合を防止することができる。
【図面の簡単な説明】
【００１４】
【図１】図１は、本実施形態に係る表示装置の機能構成の一例を示すブロック図である。
【図２】図２は、本実施形態に係る液晶レンズの概略断面構造を示す図である。
【図３】図３は、衝撃緩和効果の検証試験の方法を示す図である。
【図４】図４は、衝撃緩和効果の検証試験の結果を示す図である。
【図５】図５は、表示装置に搭載される液晶レンズの概略断面構造を示す図である。
【図６】図６は、本実施形態に係る表示装置を備えた電子機器の一例を示す図である。
【図７】図７は、本実施形態に係る表示装置を備えた電子機器の一例を示す図である。
【図８】図８は、本実施形態に係る表示装置を備えた電子機器の一例を示す図である。
【図９】図９は、本実施形態に係る表示装置を備えた電子機器の一例を示す図である。
【図１０】図１０は、本実施形態に係る表示装置を備えた電子機器の一例を示す図である。
【図１１】図１１は、本実施形態に係る表示装置を備えた電子機器の一例を示す図である。
【図１２】図１２は、本実施形態に係る表示装置を備えた電子機器の一例を示す図である。
【図１３】図１３は、本実施形態に係る表示装置を備えた電子機器の一例を示す図である。
【図１４】図１４は、本実施形態に係る表示装置を備えた電子機器の一例を示す図である。
【図１５】図１５は、本実施形態に係る表示装置を備えた電子機器の一例を示す図である。
【図１６】図１６は、本実施形態に係る表示装置を備えた電子機器の一例を示す図である。
【図１７】図１７は、本実施形態に係る表示装置を備えた電子機器の一例を示す図である。
【図１８】図１８は、本実施形態に係る表示装置を備えた電子機器の一例を示す図である。
【発明を実施するための形態】
【００１５】
本開示の表示装置を実施するための形態（実施形態）につき、図面を参照しつつ詳細に説明する。以下の実施形態に記載した内容により本開示が限定されるものではない。また、以下に記載した構成要素には、当業者が容易に想定できるもの、実質的に同一のものが含まれる。さらに、以下に記載した構成要素は適宜組み合わせることが可能である。なお、説明は以下の順序で行う。
１．実施形態（表示装置）
２．適用例（電子機器）
上記実施形態に係る表示装置が電子機器に適用されている例
３．本開示の構成
【００１６】
［１．実施形態］
本実施形態に係る表示装置は、表示部に積層される液晶レンズを可変レンズアレイとして機能させることにより、三次元画像を表示させる表示装置に適用することができる。表示装置の表示部としては、例えば、液晶表示装置（ＬＣＤ：Liquid  Crystal  Display）、ＭＥＭＳ（メムス、Micro  Electro  Mechanical  Systems）、有機ＥＬ（Electro‐Luminescence）表示装置、プラズマ表示装置などがある。
【００１７】
本実施形態に係る表示装置は、モノクロ表示対応の表示装置、カラー表示対応の表示装置のいずれにも適用できる。ここで、カラー表示対応の表示装置とした場合、カラー画像を形成する単位となる１つの画素（単位画素）が、複数の副画素（サブピクセル）から構成されることになる。より具体的には、カラー表示対応の表示装置では、１つの画素は、例えば、赤色（Ｒｅｄ；Ｒ）を表示する副画素、緑色（Ｇｒｅｅｎ；Ｇ）を表示する副画素、青色（Ｂｌｕｅ；Ｂ）を表示する副画素の３つの副画素から構成される。
【００１８】
１つの画素は、ＲＧＢの３原色の副画素の組み合わせに限定されず、ＲＧＢの３原色の副画素に更に１色あるいは複数色の副画素を加えて１つの画素を構成することも可能である。より具体的には、例えば、輝度向上のために白色（Ｗｈｉｔｅ；Ｗ）を表示する副画素を加えて１つの画素を構成したり、色再現範囲を拡大するために補色を表示する少なくとも１つの副画素を加えて１つの画素を構成したりすることも可能である。なお、以下の説明では、表示装置をカラー表示対応の表示装置（３つの副画素が１つの画素に対応する表示装置）とした場合として説明する。
【００１９】
（構成）
図１は、本実施形態に係る表示装置の機能構成の一例を示すブロック図である。図１に示す表示装置１は、本開示の表示装置の一例である。表示装置１は、例えば、所定位置から画面を見ている利用者が裸眼で三次元画像を認識できる画像を表示させる。表示装置１は、図１に示すように、バックライト２と、表示部４と、液晶レンズ６と、撮像部８と、制御部９とを有する。表示装置１は、バックライト２、表示部４、及び液晶レンズ６が、例えば、この順で積層されている。
【００２０】
バックライト２は、表示部４に向けて面状の光を出射する面状照明装置である。バックライト２は、例えば、光源と導光板とを有し、光源から出射された光を導光板で散乱させつつ、表示部４と対面する出射面から出力する。
【００２１】
表示部４は、画像を表示する表示装置である。表示部４は、例えば、多数の画素が二次元配列で配置された液晶パネルである。表示部４は、バックライト２から入射される光を液晶レンズ６に射出する。表示部４は、例えば、画素に入射される光を透過させるか、遮断させるかを切り換えることにより、画像を表示する。
【００２２】
液晶レンズ６は、表示部４の表示面側に、二次元配列で配置される。液晶レンズ６は、液晶層を介して対向配置される電極間に電圧が印加され、液晶分子の配向が制御されることによって、表示部４から入射される光の屈折率を変化させる。これにより、液晶レンズ６は、右眼に到達する画像と左眼に到達する画像との各部で視差を生じさせるレンズとして有効に機能する。図２は、本実施形態に係る液晶レンズの概略断面構造を示す図である。図２に示すように、液晶レンズ６は、レンズ部６Ａ、緩衝部材６Ｂ及びカバープレート６Ｃを、この順に積層して構成される。レンズ部６Ａは、第１基板６ａ−１と、液晶層６ａ−２と、第２基板６ａ−３と、柱スペーサ６ａ−４とを有する。レンズ部６Ａは、第１基板６ａ−１、液晶層６ａ−２、及び第２基板６ａ−３を、この順に積層して構成される。柱スペーサ６ａ−４は、所定のアスペクト比を有する柱状の部材であり、第１基板６ａ−１及び第２基板６ａ−３の双方に対して鉛直に設置される。レンズ部６Ａは、柱スペーサ６ａ−４により、第１基板６ａ−１と第２基板６ａ−３との間隔が維持される。第１基板６ａ−１及び第２基板６ａ−３は、例えば、ガラス基板で構成される。第１基板６ａ−１及び第２基板６ａ−３は、フレキシブルプリント基板を用いて構成することもできる。
【００２３】
緩衝部材６Ｂは、レンズ部６Ａとカバープレート６Ｃとの間に設置される。緩衝部材６Ｂは、構成材料に基づく弾性効果を有し、カバープレート６Ｃ側から加えられる外部からの衝撃を緩和する。緩衝部材６Ｂは、例えば、アルキルメタアクリレートのモノマーユニットを主骨格とするアクリル系ポリマーで構成される。緩衝部材６Ｂは、少なくとも、０．１ミリメートル以上の厚みを有するものとする。設計的な制約から、緩衝部材の厚みは、０．１ミリメートル以上で、かつ０．２ミリメートル以下の範囲が望ましい。
【００２４】
カバープレート６Ｃは、緩衝部材６Ｂの上部に積層される。カバープレート６Ｃは１基板６ａ−１及び第２基板６ａ−３と同様にガラス基板で構成されてもよいし、強化ガラス、アクリル基板、ポリカボネート基板などで構成されてもよい。
【００２５】
撮像部８は、カメラ等の画像を撮影する機器である。例えば、液晶レンズを可変レンズアレイとして機能させることにより三次元画像を表示する表示装置では、いわゆるヘッドトラッキング技術などが利用される。このヘッドトラッキング技術では、利用者の右眼に右眼用の画像が入射され、利用者の左眼に左眼用の画像が入射されるように、利用者の位置情報に基づいて、液晶レンズの屈折率が制御される。撮像部８により取得される利用者の画像は、利用者の位置（眼球位置）を特定するために用いられる。
【００２６】
制御部９は、表示装置１の各部の動作を制御する。具体的には、バックライト２の点灯、消灯や、点灯時の光量、光の強度を制御し、表示部４に表示させる画像を制御し、液晶レンズ６の動作を制御し、撮像部８の撮像動作を制御する。
【００２７】
制御部９は、撮像部８により取得した画像に基づいて、利用者の位置を特定し、利用者の右眼と左眼の位置を特定する。制御部９は、利用者の右眼の位置と左眼の位置とに基づいて、表示部４に表示させる右眼用の画像及び左眼用の画像を作成し、液晶レンズ６を透過させる光の屈折率を調整する。制御部９は、液晶レンズ６を透過する光の屈折率を調整して、右眼に到達する画像と左眼に到達する画像との各部で視差を生じさせることにより、利用者が三次元で視認する画像を表示させる。
【００２８】
（緩衝部材の衝撃緩和効果の検証）
緩衝部材の衝撃緩和効果について説明する。図３は、衝撃緩和効果の検証試験の方法を示す図である。図４は、衝撃緩和効果の検証試験の結果を示す図である。図２、図３及び図４に示す単位“ｍｍ”はミリメートルであり、図４に示す単位“ｋＮ”は、キロニュートンである。
【００２９】
図３には、試験体２０の概略断面構成を示している。試験体２０は、試験用の鋼板ステージ１０の上に配置される。試験体２０は、第１試験用基板２１、試験用緩衝部材２２、及び第２試験用基板２３を、この順に積層して構成される。試験体２０は、図２に示す液晶レンズ６の構造を再現したものである。第１試験用基板２１は、図２に示すレンズ部６Ａに対応する。試験用緩衝部材２２は、図２に示す緩衝部材６Ｂに対応する。第２試験用基板２３は、図２に示すカバープレート６Ｃに対応する。第１試験用基板２１及び第２試験用基板２３は、所定の厚みｔ１（例えば、０．３ｍｍ）を有する。試験用緩衝部材２２は、図２に示す緩衝部材６Ｂと同一の材質で構成される。
【００３０】
図３に示すように、検証試験は、試験用の鋼板ステージ１０の上に配置された試験体２０の上部から、所定の荷重Ｐ（ｋＮ）を与えたときの試験用緩衝部材２２の変形量（ｍｍ）を計測することにより実施する。
【００３１】
検証試験は、試験条件を変更して実施される。変更される試験条件には、試験体２０に対して加える所定の荷重Ｐ（ｋＮ）と、試験体２０を構成する試験用緩衝部材２２の厚みｔ２（ｍｍ）がある。具体的には、試験体２０に対して与える所定の荷重Ｐは、０．０２６（ｋＮ）及び０．２（ｋＮ）の２通りとする。一般的な試験では、直径１１（ｍｍ）、重さ５グラム程度のパチンコ玉を試験体の上部から落下させる試験が行われるが、このとき、試験体に加えられる衝撃力は１（Ｎ）程度となる。よって、本実施形態における検証試験では、一般的な試験において試験体に加えられる衝撃力よりも大きな力が加えられたときの試験体の挙動を検証することができる。試験体２０に採用する試験用緩衝部材２２の厚みｔ２は、０．０５（ｍｍ）、０．１（ｍｍ）、０．１５（ｍｍ）、０．２（ｍｍ）の４通りとする。すなわち、厚みｔ２が０．０５（ｍｍ）である試験用緩衝部材２２を有する試験体２０に対して、０．０２６（ｋＮ）の荷重を与えたときの試験用緩衝部材２２の変形量（ｍｍ）を計測する。続いて、荷重を０．２（ｋＮ）に変更し、厚みｔ２が０．０５（ｍｍ）である試験用緩衝部材２２を有する試験体２０に対して、０．２（ｋＮ）の荷重を与えたときの試験用緩衝部材２２の変形量（ｍｍ）を計測する。同様に、厚みｔ２が０．１（ｍｍ）である試験用緩衝部材２２を有する試験体２０に対して、０．０２６（ｋＮ）の荷重を与えたときの試験用緩衝部材２２の変形量（ｍｍ）を計測する。続いて、荷重を０．２（ｋＮ）に変更し、厚みｔ２が０．１（ｍｍ）である試験用緩衝部材２２を有する試験体２０に対して、０．２（ｋＮ）の荷重を与えたときの試験用緩衝部材２２の変形量（ｍｍ）を計測する。同様に、厚みｔ２が０．１５（ｍｍ）である試験用緩衝部材２２を有する試験体２０に対して、０．０２６（ｋＮ）の荷重を与えたときの試験用緩衝部材２２の変形量（ｍｍ）を計測する。続いて、荷重を０．２（ｋＮ）に変更し、厚みｔ２が０．１５（ｍｍ）である試験用緩衝部材２２を有する試験体２０に対して、０．２（ｋＮ）の荷重を与えたときの試験用緩衝部材２２の変形量（ｍｍ）を計測する。同様に、厚みｔ２が０．２（ｍｍ）である試験用緩衝部材２２を有する試験体２０に対して、０．０２６（ｋＮ）の荷重を与えたときの試験用緩衝部材２２の変形量（ｍｍ）を計測する。続いて、荷重を０．２（ｋＮ）に変更し、厚みｔ２が０．２（ｍｍ）である試験用緩衝部材２２を有する試験体２０に対して、０．２（ｋＮ）の荷重を与えたときの試験用緩衝部材２２の変形量（ｍｍ）を計測する。
【００３２】
図４は、上記試験条件により実施された検証試験の結果を示している。図４は、試験体２０に対して与えられる荷重ごとの試験用緩衝部材２２の厚みと変形量との関係を表している。図４に示すように、例えば、試験体２０に対して与えられる荷重が０．２（ｋＮ）である場合、試験用緩衝部材２２の厚みｔ２が０．１（ｍｍ）を境として、試験用緩衝部材２２の厚みと変形量との関係に変化が見られる。試験用緩衝部材２２の厚みｔ２が０．１（ｍｍ）未満である場合、試験用緩衝部材２２の厚みｔ２が増加するほど、変形量（ｍｍ）が増加する傾向にある。すなわち、試験用緩衝部材２２の厚みｔ２が０．１（ｍｍ）未満である場合、試験用緩衝部材２２の弾性効果が余り発揮されず、試験体２０に対して与えられた荷重を試験用緩衝部材２２が十分に吸収できていないものと考えられる。一方、試験用緩衝部材２２の厚みｔ２が０．１（ｍｍ）以上である場合、試験用緩衝部材２２の厚みｔ２が増加しても、変形量（ｍｍ）は余り増加しない傾向にある。すなわち、試験用緩衝部材２２の厚みｔ２が０．１（ｍｍ）以上である場合、試験用緩衝部材２２の弾性効果が発揮され、試験体２０に対して与えられた荷重を試験用緩衝部材２２が比較的吸収できているものと考えられる。
【００３３】
図４に示す検証試験の結果から、液晶レンズ６において、厚さ０．１（ｍｍ）以上の緩衝部材６Ｂを、レンズ部６Ａとカバープレート６Ｃとの間に設置することにより、外部からの衝撃を緩和する効果が期待される。
【００３４】
［２．適用例］
本開示の適用例として、上述した表示装置１を電子機器に適用した例を説明する。
【００３５】
図６乃至図１８は、本実施形態に係る表示装置を備えた電子機器の一例を示す図である。表示装置１は、テレビジョン装置、ディジタルカメラ、ノート型パーソナルコンピュータ、携帯電話機等の携帯端末装置又はビデオカメラ等のあらゆる分野の電子機器に適用することが可能である。言い換えると、表示装置１は、外部から入力された映像信号又は内部で生成した映像信号を、画像又は映像として表示するあらゆる分野の電子機器に適用することが可能である。
【００３６】
（適用例１）
図６に示す電子機器は、表示装置１が適用されるテレビジョン装置である。当該テレビジョン装置は、例えば、フロントパネル５１１及びフィルターガラス５１２を含む映像表示画面部５１０を有しており、当該映像表示画面部５１０に、表示装置１が適用される。
【００３７】
（適用例２）
図７及び図８に示す電子機器は、表示装置１が適用されるディジタルカメラである。当該ディジタルカメラは、例えば、フラッシュ用の発光部５２１、表示部５２２、メニュースイッチ５２３及びシャッターボタン５２４を有しており、表示部５２２には、表示装置１が適用されている。
【００３８】
（適用例３）
図９に示す電子機器は、表示装置１が適用されるビデオカメラの外観を表すものである。当該ビデオカメラは、例えば、本体部５３１、当該本体部５３１の前方側面に設けられた被写体撮影用のレンズ５３２、撮影時のスタート／ストップスイッチ５３３及び表示部５３４を有している。そして、表示部５３４には、表示装置１が適用されている。
【００３９】
（適用例４）
図１０に示す電子機器は、表示装置１が適用されるノート型パーソナルコンピュータである。このノート型パーソナルコンピュータは、例えば、本体５４１、文字等の入力操作のためのキーボード５４２及び画像を表示する表示部５４３を有している。表示部５４３は、表示装置１が適用されている。
【００４０】
（適用例５）
図１１乃至図１７に示す電子機器は、表示装置１が適用される携帯電話機である。図１１は携帯電話機を開いた状態での正面図、図１２は携帯電話機を開いた状態での右側面図、図１３は携帯電話機を折りたたんだ状態での上面図、図１４は携帯電話機を折りたたんだ状態での左側面図、図１５は携帯電話機を折りたたんだ状態での右側面図、図１６は携帯電話機を折りたたんだ状態での背面図、図１７は携帯電話機を折りたたんだ状態での前面図である。当該携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。当該ディスプレイ５５４は、表示装置１が取り付けられている。携帯電話機のディスプレイ５５４は、画像を表示する機能の他に、タッチ動作を検出する機能を有していてもよい。
【００４１】
（適用例６）
図１８に示す電子機器は、携帯型コンピュータ、多機能な携帯電話、音声通話可能な携帯コンピュータ又は通信可能な携帯コンピュータとして動作し、いわゆるスマートフォン、タブレット端末と呼ばれることもある、情報携帯端末である。当該情報携帯端末は、例えば筐体５６１の表面に表示部５６２を有している。当該表示部５６２は、表示装置１が取り付けられている。
【００４２】
［３．本開示の構成］
また、本開示は、以下の構成をとることもできる。
【００４３】
（１）液晶レンズを保護するためのカバープレートと前記液晶レンズとの間に所定の厚みを有する緩衝部材を設ける表示装置。
【００４４】
（２）前記緩衝部材の厚みは、０．１ミリメートル以上である上記（１）に記載の表示装置。
【００４５】
（３）前記緩衝部材は、アクリル系ポリマーである（１）又は（２）に記載の表示装置。
【符号の説明】
【００４６】
１  表示装置
２  バックライト
４  表示部
６  液晶レンズ
８  撮像部
９  制御部
【図１】
2014178443.tif 000003
【図２】
2014178443.tif 000004
【図３】
2014178443.tif 000005
【図４】
2014178443.tif 000006
【図５】
2014178443.tif 000007
【図６】
2014178443.tif 000008
【図７】
2014178443.tif 000009
【図８】
2014178443.tif 000010
【図９】
2014178443.tif 000011
【図１０】
2014178443.tif 000012
【図１１】
2014178443.tif 000013
【図１２】
2014178443.tif 000014
【図１３】
2014178443.tif 000015
【図１４】
2014178443.tif 000016
【図１５】
2014178443.tif 000017
【図１６】
2014178443.tif 000018
【図１７】
2014178443.tif 000019
【図１８】
2014178443.tif 000020